(57)【要約】【課題】色再現性が真の自然発色に近くなり、後処理での画像加工が不要となり、操作が簡単な水中カメラを提供する。【解決手段】水深情報受信手段１２と、カメラと被写体との距離を測定する測距手段１４と、各色の色吸収補正に必要な数式および光吸収係数を記憶する数式等記憶手段１６と、前記水深情報受信手段１２からの水深情報と前記測距手段１４の距離情報と前記数式等記憶手段１６からの数式および光吸収係数から各色の色吸収補正を実行する色吸収補正実行手段１１を備えるようにした。【選択図】　　図１
2004146928.tif 000002
【特許請求の範囲】
【請求項１】
水深情報受信手段と、各色の色吸収補正に必要な数式および光吸収係数を記憶する数式等記憶手段と、前記水深情報受信手段からの水深情報と前記数式等記憶手段からの数式および光吸収係数から各色の色吸収補正を実行する色吸収補正実行手段を備えたことを特徴とする水中カメラ。
【請求項２】
カメラと被写体との距離を測定する測距手段と、各色の色吸収補正に必要な数式および光吸収係数を記憶する数式等記憶手段と、前記測距手段の距離情報と前記数式等記憶手段からの数式および光吸収係数から各色の色吸収補正を実行する色吸収補正実行手段を備えたことを特徴とする水中カメラ。
【請求項３】
水深情報受信手段と、カメラと被写体との距離を測定する測距手段と、各色の色吸収補正に必要な数式および光吸収係数を記憶する数式等記憶手段と、前記水深情報受信手段からの水深情報と前記測距手段の距離情報と前記数式等記憶手段からの数式および光吸収係数から各色の色吸収補正を実行する色吸収補正実行手段を備えたことを特徴とする水中カメラ。
【請求項４】
水深測定手段を備え、該水深測定手段の水深情報を前記色吸収補正実行手段に送信することを特徴とする請求項１〜３のいずれか１項記載の水中カメラ。
【発明の詳細な説明】
【０００１】
【発明の属する技術分野】
本発明は、水中撮影において自然な発色の写真プリントを得ることのできる水中カメラに関するものである。
【０００２】
【従来の技術】
カラフルなウエットスーツを着ていても水中でまるで違った色に見えることがあるが、これは太陽光線が水に吸収されることから起こる現象である。図４は水深が増すにつれて各色がどう変わるかを表す図表である。同図によると、わずか２メートルほどで赤は消えてしまい、これに対して青は水深が５０ｍ以上深くなっても吸収されずに残ることがわかる。これは太陽から出る可視光線のうち波長の長い赤が水深２メートルあたりで水に吸収されてしまうのに対して青は吸収されないからである。
【０００３】
また、被写体が青く写るのは水深が深い時ばかりとは限らなくて、水深が浅くても、カメラと被写体の距離が遠い場合にも青くなることがおこりうる。これは距離が遠いほど間にある海水の層が厚くなるからであると考えられる。
【０００４】
そこで、水中で撮影をした時はこれらの色補正をして、真の自然発色に近いプリントをすることが必要であったが、これまで水中撮影時に水深や被写体との距離に応じて異なる色吸収を補正する対処をした技術はなかった。
この種の近い先行技術としては、水中及び大気中で撮影可能なカメラを用いて撮影し、使用環境が水中であるか否かが水中検知部により検知され、また磁気的又は光学的記録の情報記録領域を有するフィルムに情報が磁気記録部により記録されるものがある（例えば、特許文献１参照。）。
そして、水中検知部が水中であると検知したとき、写真焼き付け時の色調制御用の情報がＣＰＵによりその磁気記録部を介してフィルムに記録されるものである。
【０００５】
【特許文献１】
特開平８−７６２８７号公報
【０００６】
しかしながら、この特許文献１記載の発明は、水中撮影時に水中であることを検知し、その状態を記録させ、写真プリント時に補正するものであって、プリント時の補正が面倒であり、しかもこの記録された情報は水中か否か程度のものであり、全く補正しないプリントよりも色再現性は良いといった程度で真の自然発色に近いプリントとはいえなかった。
【０００７】
【発明が解決しようとする課題】
本発明は上記課題を解決するもので、本発明の目的はプリント時の面倒な補正が不要な、しかも色再現性が真の自然発色に近くなる、操作の簡単な水中カメラを提供することにある。
【０００８】
【課題を解決するための手段】
上記課題を解決するため、請求項１記載の水中カメラの発明は、水深情報受信手段と、各色の色吸収補正に必要な数式および光吸収係数を記憶する数式等記憶手段と、前記水深情報受信手段からの水深情報と前記数式等記憶手段からの数式および光吸収係数から各色の色吸収補正を実行する色吸収補正実行手段を備えたことを特徴とする。
請求項２記載の水中カメラの発明は、カメラと被写体との距離を測定する測距手段と、各色の色吸収補正に必要な数式および光吸収係数を記憶する数式等記憶手段と、前記測距手段の距離情報と前記数式等記憶手段からの数式および光吸収係数から各色の色吸収補正を実行する色吸収補正実行手段を備えたことを特徴とする。
請求項３記載の水中カメラの発明は、水深情報受信手段と、カメラと被写体との距離を測定する測距手段と、各色の色吸収補正に必要な数式および光吸収係数を記憶する数式等記憶手段と、前記水深情報受信手段からの水深情報と前記測距手段の距離情報と前記数式等記憶手段からの数式および光吸収係数から各色の色吸収補正を実行する色吸収補正実行手段を備えたことを特徴とする。
請求項４記載の発明は、請求項１〜３のいずれか１項記載の水中カメラにおいて、水深測定手段を備え、該水深測定手段の水深情報を前記色吸収補正実行手段に送信することを特徴とする。
以上の構成により、水中撮影時に、水深に応じて、異なる色吸収を補正してカメラの撮影画像データとして記録させ、また、被写体との距離に応じて、異なる色吸収を補正してカメラの撮影画像データとして記録させるので、このようなカメラを用いることにより、色再現性が真の自然発色に近くなり、後処理での画像加工が不要となり、操作が簡単となる。
【０００９】
【発明の実施の形態】
以下、本発明の実施の形態について、図面を用いて詳細に説明する。
第１の実施の形態は、水中撮影の場合、シャッターボタンを押された時に水中カメラのＣＰＵががダイビングコンピュータやダイビングウオッチなどから得た水深情報と、自動焦点部（以下、ＡＦと言う。）からの被写体距離情報を基に色吸収補正を行い、撮影データとして記録するものである。
【００１０】
本発明で用いるダイバーウオッチは、図５に示すように、ダイバーが腕にはめて用いる防水時計で、内部に水深計（圧力測定器）を備えていて、潜水時の水圧を検出することにより水深を測定するものである。
さらにダイバーウオッチには、この水深情報を外部機器に送信することのできるものがある。本発明ではこのようなダイバーウオッチ２０を用いている。
そして水中デジタルカメラ１０からの要求があれば水深情報を水中デジタルカメラ１０へ赤外線で送信するようになっている。
【００１１】
また、ダイビングコンピュータは潜水時におけるダイバーの安全を確保するためにダイバーに各種情報を知らせるもので、特に無減圧潜水や浮上の際に約５ｍの水深に３分間留まる安全停止を励行させるための各種情報提供や警告を行なっており、この中には水深情報も含まれている。
さらに、ダイビングコンピュータには、この水深情報を外部機器に送信することのできるものがあり、本発明では上記ダイバーウオッチ２０の代わりにこのようなダイビングコンピュータを用いることもできる。
そして水中デジタルカメラ１０からの要求があれば水深情報を水中デジタルカメラ１０へ赤外線で送信するようになっている。
【００１２】
図１はこのようなダイバーウオッチやダイビングコンピュータを用いて本発明に係る色吸収補正を行う水中カメラのブロック図である。
図において、１０は水中デジタルカメラ、２０は前述のダイバーウオッチ又は前述のダイビングコンピュータである（以下、ダイバーウオッチ等と言う。）。水中デジタルカメラ１０には、ＣＰＵ１１、ダイバーウオッチ等２０とデータの送受信を行う通信部、１３は撮像部、１４はＡＦ、１５は画像データメモリ、１６は本発明により設けられた色吸収補正値ファイルである。
【００１３】
一方、ダイバーウオッチ等２０には水深計２１、水中デジタルカメラ１０とデータの送受信を行う通信部２２がある。
水中カメラ１０の通信部１２とダイバーウオッチ等の通信部２２とは、電気的若しくは光学的な有線手段、又は光学的無線手段により交信が行われる。
【００１４】
次に、図１のブロックの動作について図２のフローチャートを用いて説明する。
まず、ステップ１でシャッターボタンを押すとステップ２で通常の写真撮影が行なわれる。通常の写真撮影は、ＡＦ１４（図１）が被写体までの距離を測定し、撮像部１３がＡＦ１４の距離情報をもとにピントを合わせて撮影し、その画像データをＣＰＵ１１に送り、ＣＰＵ１１は画像データを取得する。
次に、ステップ３でデジタルカメラ１０側のＣＰＵ１１が通信部１２を介して水深情報をダイビングコンピュータ等２０に要求する。
ステップ４でダイビングコンピュータ等２０側は水深計２１（図１）からの水深情報を通信部２２を介して送信する。
ステップ５でＣＰＵ１１はデジタルカメラ１０の水深情報を通信部１２を介して受信する。
ステップ６でＣＰＵ１１はダイビングコンピュータ等２０側から得た水深情報とＡＦ（自動焦点）１４から得た距離情報から距離（水深＋被写体距離）を計算する。
ステップ７で計算された距離を基に撮影データに色吸収補正を加える。
ステップ８で色吸収補正データを画像データメモリ１５に保存する。
【００１５】
ステップ６で計算する距離Ｌは水深＋被写体距離である。
このＬを用いると、水深＋被写体距離における撮像部１３からの出力は一般に次の（１）式で与えられる。
Ｐｗ＝Ｐ０×ｅ−α・Ｌ　　・・・（１）
ここで、受光量：Ｐｗ
光吸収係数（減衰係数）：α
光量：Ｐ０
距離：Ｌ（水深＋被写体距離）
なお、ストロボ光を用いて被写体からの反射光を測定した場合は、距離が２倍となるから、上記（１）式の指数はＬの代わりに２Ｌとなる。
【００１６】
上記一般式（１）より、赤色の吸収式は（２）式で与えられる。
ＰｗＲ＝Ｐ０×ｅ−αＲ・Ｌ　　・・・（２）
ここで、αＲ：光吸収係数（Ｒｅｄ）。
赤光について予め既知の光量Ｐ０　と既知の距離Ｌの下で受光量ＰｗＲを測定することにより、式（２）を用いて光吸収係数αＲを求めることができる。
このようにした求まった赤光の光吸収係数αＲを式（２）に用い、ステップ６で計算して得られた距離Ｌおよび撮像部１３（図１）で得られた赤光の受光量ＰｗＲ　を式（２）に代入することにより、赤光の補正後の光量Ｐ０Ｒが得られることになる。
【００１７】
同様に、緑色の吸収式は（３）式で与えられる。
ＰｗＧ＝Ｐ０×ｅ−αＧ・Ｌ　　・・・（３）
ここで、αＧ：光吸収係数（Ｇｒｅｅｎ）。
したがって、赤光についての式（２）で行ったように、ここでも式（３）を用いて緑光吸収係数αＧを求めることができ、このようにした求まった緑光吸収係数αＲを式（３）に用い、ステップ６で計算して得られた距離Ｌおよび撮像部１３（図１）で得られた緑光の受光量ＰｗＧ　を式（３）に代入することにより、緑光の補正後の光量Ｐ０Ｇが得られることになる。
【００１８】
同様に、青色の吸収式は（４）式で与えられる。
ＰｗＢ＝Ｐ０×ｅ−αＢ・Ｌ　　・・・（４）
ここで、αＢ：光吸収係数（Ｂｌｕｅ）
青光についても同様にして、式（４）を用いて青光の補正後の光量Ｐ０Ｂが得られることになる。
【００１９】
このように、αＲ，αＧ，αＢの値を予め求めておくことにより、距離Ｌが解れば各式（２）〜（４）から、Ｒ（赤）、Ｂ（青）、Ｇ（緑）ごとの色吸収補正を実施することができ、得られたデータを画像メモリ１５（図１）に記憶させておくことにより、それ以後の写真プリント時には画像メモリ１５の補正後のデータを用いればよく、従来装置のような写真プリント時の画像加工作業がなくなる。
このように水中撮影時に、水深と被写体との距離に応じて、異なる色吸収を補正してカメラの撮影画像データとして記録させるので、この水中カメラを用いれば色再現性が真の自然発色に近くなり、後処理での画像加工が不要となり、操作が簡単となる。
【００２０】
さらに本発明によれば、ストロボを使用しない場合でも、上記式（１）を用い、水中撮影時にダイビングコンピュータ等２０から得た水深情報を基に、色吸収の補正を行なうことができる。
したがって、本発明によればストロボを使用しない場合でも、同じく水中で適正な色がカメラの撮影データとして記録されることができる。
【００２１】
また、前述のように、シャッターボタンが押された時の水深がかなり浅くてもＡＦ値から被写体との距離が遠ければ青みがかって記録されることになるが、第１の実施の形態によれば、この場合もＡＦ値から被写体との距離に応じて、色吸収補正をしているので、色再現性が真の自然発色に近くなる。
【００２２】
さらに、第２の実施の形態として、カメラ自身に水深計を備えるようにしたものである。図３は第２の実施の形態を示す水中カメラのブロック図である。
図において、１０は第３の実施の形態に係る水中デジタルカメラで、１１はＣＰＵ、１３は撮像部、１４はＡＦ、１５は画像データメモリ、１６は色吸収補正値ファイル、２１は本発明により設けられた水深計である。
【００２３】
このブロックの動作は次のようになる。
シャッターボタンを押すと通常の写真撮影が行なわれ、ＡＦ１４が被写体までの距離を測定し、撮像部１３がＡＦ１４の距離情報をもとにピントを合わせて撮影し、その画像データをＣＰＵ１１に送り、ＣＰＵ１１は画像データを取得する。
そして次に、ＣＰＵ１１が水深計２１からの水深情報を得て、この水深情報とＡＦ１４から得た距離情報から距離（水深＋被写体距離）を計算し、計算された距離を基に撮影データに色吸収補正を加え、この色吸収補正データを画像データメモリ１５に保存する。
【００２４】
このように水中撮影時に、ＣＰＵ１１が水深情報を内蔵の水深計２１から得ることができるので、別体のダイバーウオッチやダイビングコンピュータが不要となり、取り扱いが簡易となるばかりか、データの送受信に光変換などを介さないので、ノイズが入らず正確で速い処理が可能となる。
【００２５】
【発明の効果】
以上のように、本発明によれば、水深情報受信手段と、カメラと被写体との距離を測定する測距手段と、各色の色吸収補正に必要な数式および光吸収係数を記憶する数式等記憶手段と、前記水深情報受信手段からの水深情報と前記測距手段の距離情報と前記数式等記憶手段からの数式および光吸収係数から各色の色吸収補正を実行する色吸収補正実行手段を備えることにより、水中撮影時に、水深と被写体との距離に応じて、異なる色吸収を補正してカメラの撮影画像データとして記録させるので、色再現性が真の自然発色に近くなり、後処理での画像加工が不要となり、操作が簡単な水中カメラが得られる。
また、水深測定手段も水中カメラに備えることにより、別体のダイバーウオッチやダイビングコンピュータが不要となり、取り扱いが簡易となるばかりか、データの送受信に光変換などを介さないので、ノイズが入らず正確で速い処理が可能となる。
【図面の簡単な説明】
【図１】本発明の第１の実施の形態に係る水中カメラのブロック図である。
【図２】図１の水中カメラの色補正動作のフローチャートである。
【図３】本発明の第２の実施の形態に係る水中カメラのブロック図である。
【図４】水深と各色の色吸収の関係を表す図である。
【図５】図１の実施の形態で用いるダイバーウオッチと水中カメラの使用形態を説明する図である。
【符号の説明】
１０　水中デジタルカメラ
２０　ダイバーウオッチ又はダイビングコンピュータ
１１　ＣＰＵ
１２　通信部
１３　撮像部
１４　ＡＦ
１５　画像データメモリ
１６　色吸収補正値
２１　水深計
２２　通信部
【図１】
2004146928.tif 000003
【図２】
2004146928.tif 000004
【図３】
2004146928.tif 000005
【図４】
2004146928.tif 000006
【図５】
2004146928.tif 000007